(57)【要約】【課題】コンテンツを格納するための記憶容量が増加するという問題点を解決する広告配信装置を提供する。【解決手段】マーケティング管理部５２は、スポンサー端末４から映像コンテンツの広告権への入札情報を受け付け、その入札情報に応じて広告画像データベース１０内の広告画像の中から、映像コンテンツに掲載する広告を決定する。広告合成部６２は、映像コンテンツの配信時に、マーケティング管理部５２にて決定された広告を映像コンテンツに掲載する。映像配信部７０は、広告合成部６２が掲載した映像コンテンツを配信する。【選択図】図４
2009122827.tif 000002
【特許請求の範囲】
【請求項１】
スポンサー端末と接続可能な広告配信装置であって、
コンテンツを格納するコンテンツ格納手段と、
広告情報を格納する広告格納手段と、
前記スポンサー端末から前記コンテンツの広告権への入札情報を受け付け、該入札情報に応じて前記広告格納手段内の広告情報の中から前記コンテンツに掲載する広告情報を決定する制御手段と、
前記コンテンツの配信時に、前記制御手段にて決定された広告情報を前記コンテンツに掲載する掲載手段と、
前記掲載手段にて掲載されたコンテンツを前記視聴者端末に配信する配信手段と、を含む広告配信装置。
【請求項２】
請求項１に記載の広告配信装置において、
前記制御手段は、前記コンテンツが配信された配信回数を求め、前記配信回数が予め定められた閾値より大きいか否かを判定し、前記配信回数が前記閾値より大きいと、前記入札情報の受け付けを開始する、広告配信装置。
【請求項３】
請求項１または２に記載の広告配信装置において、
前記制御手段は、前記スポンサー端末から、前記広告権への入札を開始する旨の開始指示を受け付けると、前記入札情報の受け付けを開始する、広告配信装置。
【請求項４】
請求項１ないし３のいずれか１項に記載の広告配信装置において、
前記コンテンツの製作者が使用する製作者端末と接続され、
前記制御手段は、前記製作者端末から、前記広告権への入札を開始する旨の開始要求を受け付けると、前記入札情報の受け付けを開始する、広告配信装置。
【請求項５】
請求項２に記載の広告配信装置において、
前記コンテンツの製作者が使用する製作者端末と接続され、
前記制御手段は、前記配信回数が前記閾値より大きいと、前記入札の開始を許可するか否かを確認するための承認依頼を前記製作者端末に送信し、その後、前記製作者端末から前記入札の開始を許可する旨の承認情報を受信すると、前記入札情報の受け付けを開始する、広告配信装置。
【請求項６】
請求項３に記載の広告配信装置において、
前記コンテンツの製作者が使用する製作者端末と接続され、
前記制御手段は、前記開始指示を受け付けると、前記入札の開始を許可するか否かを確認するための承認依頼を前記製作者端末に送信し、その後、前記製作者端末から前記入札の開始を許可する旨の承認情報を受信すると、前記入札情報の受け付けを開始する、広告配信装置。
【請求項７】
コンテンツを格納するコンテンツ格納手段と、広告情報を格納する広告格納手段とを含む広告配信装置が行う広告配信方法であって、
スポンサー端末から前記コンテンツの広告権への入札情報を受け付ける受付ステップと、
前記入札情報に応じて前記広告格納手段内の広告情報の中から前記コンテンツに掲載する広告情報を決定する決定ステップと、
前記コンテンツの配信時に、前記決定された広告情報を前記コンテンツに掲載する掲載ステップと、
前記掲載されたコンテンツを配信する配信ステップと、を含む広告配信方法。
【請求項８】
請求項７に記載の広告配信方法において、
前記コンテンツが配信された配信回数を求める計測ステップと、
前記配信回数が予め定められた閾値より大きいか否かを判定する判定ステップと、
前記配信回数が前記閾値より大きいと、前記入札情報の受け付けを開始する第一開始ステップと、を含む広告配信方法。
【請求項９】
請求項７または８に記載の広告配信方法において、
前記スポンサー端末から、前記広告権への入札を開始する旨の開始指示を受け付けると、前記入札情報の受け付けを開始する第二開始ステップを含む広告配信方法。
【請求項１０】
請求項７ないし９のいずれか１項に記載の広告配信方法において、
前記コンテンツの製作者が使用する製作者端末から、前記広告権への入札を開始する旨の開始要求を受け付けると、前記広告権への入札を開始する契機を検知し、前記入札情報の受け付けを開始する第三開始ステップを含む広告配信方法。
【請求項１１】
請求項８に記載の広告配信方法において、
前記配信回数が前記閾値より大きいと、前記入札の開始を許可するか否かを確認するための承認依頼を、前記コンテンツの製作者が使用する製作者端末に送信する送信ステップと、
前記製作者端末から前記入札の開始を許可する旨の承認情報を受信すると、前記入札情報の受け付けを開始する承認後開始ステップと、を含む広告配信方法。
【請求項１２】
請求項８に記載の広告配信方法において、
前記開始指示が受け付けられると、前記入札の開始を許可するか否かを確認するための承認依頼を、前記コンテンツの製作者が使用する製作者端末に送信する送信ステップと、
前記製作者端末から前記入札の開始を許可する旨の承認情報を受信すると、前記入札情報の受け付けを開始する承認後開始ステップと、を含む広告配信方法。
【発明の詳細な説明】
【技術分野】
【０００１】
本発明は、ネットワーク上で配信されるコンテンツに広告を掲載する広告配信装置および広告配信方法に関する。
【背景技術】
【０００２】
近年、コンテンツ登録型サイトへの需要が高まっている。コンテンツ登録型サイトでは、ユーザが動画像などのコンテンツをそのサイトに登録し、他のユーザがその登録されたコンテンツを視聴することができる。
【０００３】
このようなコンテンツに広告を掲載する場合、広告の効果を定量的に評価することは、困難である。このため、広告の効果に応じた広告料をコンテンツ製作者に支払ったり、効率良く広告を掲載したりすることができなかった。
【０００４】
これらの問題点を解決することが可能な技術には、特許文献１に記載の広告配信装置がある。この広告配信装置は、登録されたコンテンツに掲載する広告をオークション形式で決定し、その決定した広告をそのコンテンツに挿入する。
【０００５】
具体的には、この広告配信装置は、コンテンツに係るログ情報を広告主端末に提示する。また、広告配信装置は、広告主端末からそのコンテンツに対する入札を受け付け、その入札の最高入札額を判定する。広告配信装置は、その最高入札額で入札した広告主（スポンサー）の広告をそのコンテンツに挿入する。なお、ログ情報は、例えば、アクセス数である。
【０００６】
このため、スポンサーは、ログ情報を見ることで、広告の効果を定量的に評価することが可能になる。よって、スポンサーは、その広告の効果に応じた広告料をコンテンツ製作者に支払ったり、効率良く広告を掲載したりすることが可能になる。
【特許文献１】特開２００３−２１６８６４号公報
【発明の開示】
【発明が解決しようとする課題】
【０００７】
特許文献１に記載の広告配信装置は、広告が挿入されたコンテンツと、広告が挿入されていないコンテンツとの両方を格納する。このため、コンテンツを格納するための記憶容量が増加するという問題点がある。
【０００８】
そこで、本発明の目的は、上記の課題である、コンテンツを格納するための記憶容量が増加するという問題点を解決する広告配信装置および広告配信方法を提供することである。
【課題を解決するための手段】
【０００９】
本発明による広告配信装置は、スポンサー端末と接続可能な広告配信装置であって、コンテンツを格納するコンテンツ格納手段と、広告情報を格納する広告格納手段と、前記スポンサー端末から前記コンテンツの広告権への入札情報を受け付け、該入札情報に応じて前記広告格納手段内の広告情報の中から前記コンテンツに掲載する広告情報を決定する制御手段と、前記コンテンツの配信時に、前記制御手段にて決定された広告情報を前記コンテンツに掲載する掲載手段と、前記掲載手段にて掲載されたコンテンツを前記視聴者端末に配信する配信手段と、を含む。
【００１０】
また、本発明による広告配信方法は、コンテンツを格納するコンテンツ格納手段と、広告情報を格納する広告格納手段とを含む広告配信装置が行う広告配信方法であって、スポンサー端末から前記コンテンツの広告権への入札情報を受け付ける受付ステップと、前記入札情報に応じて前記広告格納手段内の広告情報の中から前記コンテンツに掲載する広告情報を決定する決定ステップと、前記コンテンツの配信時に、前記決定された広告情報を前記コンテンツに掲載する掲載ステップと、前記掲載されたコンテンツを配信する配信ステップと、を含む。
【発明の効果】
【００１１】
本発明によれば、コンテンツを格納するための記憶容量の増加を抑制することが可能になる。
【発明を実施するための最良の形態】
【００１２】
以下、本発明の実施形態について図面を参照して説明する。
【００１３】
図１は、本発明による広告配信装置の構成を示したブロック図である。
【００１４】
図１において、広告配信装置１は、広告画像データベース１０と、映像コンテンツデータベース２０と、広告管理部３０と、コンテンツ管理部４０と、制御部５０と、掲載部６０と、映像配信部７０とを含む。なお、広告配信装置１の各部は、同一のサーバ上に実装されていてもよいし、互い異なるサーバに実装されていてもよい。
【００１５】
広告配信装置１は、視聴者端末２、コンテンツ製作者端末３およびスポンサー端末４とネットワーク１００を介して相互に接続可能である。なお、図１では、視聴者端末２およびコンテンツ製作者端末３の数は１つ、また、スポンサー端末４の数は２つだが、実際には、視聴者端末２、コンテンツ製作者端末３およびスポンサー端末４のそれぞれの数は、１以上であればよい。
【００１６】
視聴者端末２は、映像コンテンツを視聴するユーザにて使用される。コンテンツ製作者端末３は、映像コンテンツの製作者にて使用される。スポンサー端末４は、映像コンテンツの広告権を購入するスポンサーにて使用される。なお、映像コンテンツの広告権は、その映像コンテンツに広告を掲載する権利である。
【００１７】
広告画像データベース１０は、広告格納手段の一例である。広告画像データベース１０は、広告画像を格納する。広告画像には、その広告画像の名前（以下、ファイル名と称する）が付けられている。また、広告画像は、静止画像でもよいし、動画像でもよい。さらに、広告画像は、複数あるものとする。また、広告画像は、広告情報の一例である。なお、広告情報は、テキスト情報などでもよい。
【００１８】
映像コンテンツデータベース２０は、コンテンツ格納手段の一例である。映像コンテンツデータベース２０は、映像コンテンツを格納する。映像コンテンツには、その映像コンテンツに関するメタ情報が付けられている。メタ情報は、本実施形態では、映像コンテンツの画像ＩＤ、映像コンテンツの製作者のメールアドレスおよび映像コンテンツが配信された配信回数を含む。
【００１９】
広告管理部３０は、広告画像を管理する。例えば、広告管理部３０は、スポンサー端末４から、広告画像を受信すると、その広告画像を広告画像データベース１０に格納する。
【００２０】
コンテンツ管理部４０は、映像コンテンツを管理する。例えば、コンテンツ製作者端末３から、映像コンテンツを受信すると、その映像コンテンツを映像コンテンツデータベース２０に格納する。
【００２１】
制御部５０は、スポンサー端末４から映像コンテンツの広告権の入札情報を受け付け、その入札情報に応じて広告画像データベース１０内の広告画像の中から、その映像コンテンツに掲載する広告画像を決定する。具体的には、制御部５０は、マーケティングデータベース５１と、マーケティング管理部５２とを含み、各部が以下の機能を有する。
【００２２】
マーケティングデータベース５１は、入札期間内の映像コンテンツの画像ＩＤごとに、入札の終了日時と、入札金額の最高金額と、その映像コンテンツに掲載する広告画像のファイル名とを対応付けて格納する。
【００２３】
マーケティング管理部５２は、映像コンテンツデータベース２０内の映像コンテンツの広告権への入札を開始する契機を検知する。入札を開始する契機は、以下の３つの場合がある。
【００２４】
Ｃａｓｅ１：コンテンツ製作者が入札の開始を要求した場合。この場合、例えば、マーケティング管理部５２は、コンテンツ製作者端末３から映像コンテンツの広告権への入札を開始する旨の開始要求を受け付けると、入札を開始する契機を検知する。なお、開始要求は、その映像コンテンツの画像ＩＤを含む。
【００２５】
Ｃａｓｅ２：映像コンテンツの配信回数が予め定められた閾値より大きくなった場合。この場合、例えば、先ず、マーケティング管理部５２は、映像コンテンツの配信回数を求める。具体的には、マーケティング管理部５２は、映像配信部７０にて映像コンテンツが配信されると、映像コンテンツデータベース２０内でその映像コンテンツに付けられた配信回数に１を加えて配信回数を求める。マーケティング管理部５２は、その配信回数が閾値より大きいか否かを判定する。マーケティング管理部５２は、配信回数が閾値より大きいと、入札を開始する契機を検知する。
【００２６】
Ｃａｓｅ３：スポンサーが入札の開始を要求した場合。この場合、例えば、マーケティング管理部５２は、スポンサー端末４から映像コンテンツの広告権への入札を開始する旨の開始指示を受け付けると、入札を開始する契機を検知する。なお、開始指示は、その映像コンテンツの画像ＩＤを含む。
【００２７】
マーケティング管理部５２は、Ｃａｓｅ２または３にて入札を開始する契機を検知した場合、入札の開始を許可するか否かを確認するための承認依頼を、その映像コンテンツの製作者が使用するコンテンツ製作者端末３に送信する。例えば、マーケティング管理部５２は、承認依頼を、電子メールとして、その入札を開始する映像コンテンツに付けられたメールアドレス宛に送信する。
【００２８】
マーケティング管理部５２は、Ｃａｓｅ１にて入札を開始する契機を検知した場合、および、コンテンツ製作者端末３から映像コンテンツの入札の開始を許可する旨の承認情報を受け付けた場合、その映像コンテンツの広告権への入札情報の受け付けを開始する。このとき、マーケティング管理部５２は、入札期間の終了日時を生成し、その終了日時と、その映像コンテンツの画像ＩＤとを対応付けてマーケティングデータベース５１に格納する。なお、入札期間は、予め設定されていてもよいし、コンテンツ製作者などにて設定されてもよい。
【００２９】
また、マーケティング管理部５２は、スポンサー端末４から、入札情報を受け付ける。入札情報は、入札金額と、入札する映像コンテンツの画像ＩＤと、その映像コンテンツに掲載する広告画像のファイル名とを含む。
【００３０】
マーケティング管理部５２は、映像コンテンツデータベース２０内の映像コンテンツごとに、その映像コンテンツに付けられた画像ＩＤを含む入札情報に応じて、広告画像データデース１０内の広告画像の中から、その映像コンテンツに掲載する広告画像を決定する。
【００３１】
例えば、先ず、マーケティング管理部５２は、入札情報を受け付けると、その入札情報内の入札金額が、マーケティングデータベース５１においてその入札情報内の画像ＩＤに対応する最高金額より高いか否かを判定する。マーケティング管理部５２は、その入札金額が最高金額より高いと、その入札情報内の入札金額およびファイル名に、その入札情報内の画像ＩＤに対応する最高金額およびファイル名を更新する。
【００３２】
そして、マーケティング管理部５２は、現在の日時を測定し、現在の日時がその画像ＩＤに対応する終了日時になると、その画像ＩＤに対応するファイル名の広告画像を、その画像ＩＤの映像コンテンツに掲載する広告画像に決定する。
【００３３】
また、マーケティング管理部５２は、映像コンテンツの配信回数や視聴者端末２が映像コンテンツを検索するために使用した検索キーワードなどの映像コンテンツに関する関連情報を管理し、その関連情報をスポンサー端末４に提供する機能も有する。
【００３４】
掲載部６０は、映像コンテンツの配信時に、制御部５０にて決定された広告画像をその映像コンテンツに掲載する。具体的には、掲載部６０は、リストデータベース６１と、広告合成部６２を含み、各部が以下の機能を有する。
【００３５】
リストデータベース６１は、広告画像を掲載する映像コンテンツのリストを格納する。リストでは、映像コンテンツの画像ＩＤごとに、その映像コンテンツに掲載する広告画像のファイル名と、その広告画像の掲載期間の完了日時とが対応付けられている。
【００３６】
広告合成部６２は、掲載手段の一例である。広告合成部６２は、マーケティング管理部５２が決定した広告画像のファイル名を、その広告画像を掲載する映像コンテンツの画像ＩＤと対応付けてリストデータベース６１に格納する。このとき、広告合成部６２は、広告画像の掲載期間び完了日時を生成し、その完了日時をその画像ＩＤに対応付けてリストデータベース６１に格納する。
【００３７】
また、広告合成部６２は、リストデータベース６１内の画像ＩＤの映像コンテンツの配信時に、その画像ＩＤの映像コンテンツに、その画像ＩＤに対応するファイル名の広告画像を掲載する。
【００３８】
例えば、映像コンテンツおよび広告画像の両方が動画像の場合、広告合成部６２は、その映像コンテンツおよび広告画像を連結する。また、映像コンテンツおよび広告画像のどちらか一方が静止画像の場合、広告合成部６２は、その映像コンテンツに広告画像を合成する。
【００３９】
また、広告合成部６２は、現在の日時を測定し、その現在の日時がリストデータベース６１内の完了日時になると、その完了日時を含むレコードを削除する。これにより、広告合成部６２は、完了日時になるまで、映像コンテンツに広告画像を掲載することになる
映像配信部７０は、配信手段の一例である。映像配信部７０は、映像コンテンツデータベース２０内の映像コンテンツを視聴者端末２に配信する。例えば、映像配信部７０は、ビデオオンデマンドのように視聴者端末２から映像コンテンツを視聴する旨の視聴要求を受信した場合に、その映像コンテンツをその視聴者端末２に配信する。また、映像配信部７０は、放送のように、映像コンテンツを不特定多数の視聴者端末２に送信する。
【００４０】
このとき、映像配信部７０は、リストデータベース６１内に存在する画像ＩＤの映像コンテンツを配信する場合、広告合成部６２が広告画像を掲載した映像コンテンツを配信し、リストデータベース６１内に存在しない画像ＩＤの映像コンテンツを配信する場合、映像コンテンツデータベース２０内の映像コンテンツを配信する。
【００４１】
次に動作を説明する。
【００４２】
図２は、広告権を購入する際の広告配信装置の動作を説明するためのシーケンス図である。
【００４３】
ステップＡ１では、マーケティング管理部５２は、映像コンテンツの広告権への入札を開始する契機を検知する。
【００４４】
Ｃａｓｅ１の場合、マーケティング管理部５２は、コンテンツ製作者端末３から開始要求を受け付けると、その開始要求が含む画像ＩＤの映像コンテンツの広告権への入札を開始する契機を検知する。
【００４５】
また、Ｃａｓｅ２の場合、映像配信部７０は、映像コンテンツを配信すると、その映像コンテンツの画像ＩＤをマーケティング管理部５２に送信する。マーケティング管理部５２は、その画像ＩＤを受信すると、その画像ＩＤと同じメタ情報に含まれる配信回数を映像コンテンツデータベース２０から取得する。マーケティング管理部５２は、その取得した配信回数に１を加えて新たに配信回数を求める。マーケティング管理部５２は、その求めた配信回数が閾値より大きいか否かを判定する。マーケティング管理部５２は、配信回数が閾値より大きいと、入札を開始する契機を検知する。
【００４６】
また、Ｃａｓｅ３の場合、マーケティング管理部５２は、コンテンツ製作者端末３から開始指示を受け付けると、その開始指示が含む画像ＩＤの映像コンテンツの広告権への入札を開始する契機を検知する。
【００４７】
マーケティング管理部５２は、映像コンテンツの広告権への入札を開始する契機を検知すると、ステップＡ２を実行する。
【００４８】
ステップＡ２では、マーケティング管理部５２は、その開始指示または開始要求が含む画像ＩＤ、または、映像配信部７０から受け付けた画像ＩＤに対応するメールアドレスを、映像コンテンツデータベース２０から取得する。マーケティング管理部５２は、そのメールアドレス宛に、電子メールとして承認依頼をコンテンツ製作者端末３に送信する。
【００４９】
コンテンツ製作者端末３は、その承認依頼を受信すると、その承認依頼を表示する。その後、コンテンツ製作者端末３は、製作者から、その承認情報を受け付けると、その承認情報を広告配信装置１のマーケティング管理部５２に送信する。マーケティング管理部５２は、その承認情報を受信すると、ステップＡ３を実行する。
【００５０】
なお、コンテンツ製作者端末３は、ステップＡ１においてＣａｓｅ１で映像コンテンツの広告権への入札を開始する契機を検知すると、ステップＡ２をスキップして、ステップＡ３を実行する。
【００５１】
ステップＡ３では、マーケティング管理部５２は、広告権への入札情報の受け付けを開始する。また、マーケティング管理部５２は、入札期間の終了日時を生成し、その終了日時と、その映像コンテンツの画像ＩＤとを対応付けてマーケティングデータベース５１に格納する。
【００５２】
その後、マーケティング管理部５２は、スポンサー端末４から、映像コンテンツの広告権への入札情報を受け付けると、マーケティングデータベース５１においてその入札情報内の画像ＩＤに対応する最高金額を確認する。マーケティング管理部５２は、その入札金額が最高金額より大きいか否かを判定する。
【００５３】
マーケティング管理部５２は、入札金額が最高金額より小さいと、待機状態になる。
【００５４】
一方、マーケティング管理部５２は、その入札金額が最高金額より大きいと、その入札情報内の画像ＩＤに対応する最高金額およびファイル名を、その入札情報内の入札金額およびファイル名に更新する。
【００５５】
また、マーケティング管理部５２は、定期的に、マーケティングデータベース５１内の入札期間の終了日時を確認し、現在の日時がその終了日時になると、ステップＡ４を実行する。
【００５６】
ステップＡ４では、マーケティング管理部５２は、その入札期間の終了日時に対応する画像ＩＤおよびファイル名をマーケティングデータベース５１から取得し、その画像ＩＤおよびファイル名を広告合成部６２に送信する。また、マーケティング管理部５２は、その画像ＩＤを含むレコードをマーケティングデータベース５１から削除する。
【００５７】
広告合成部６２は、画像ＩＤおよびファイル名を受信すると、掲載期間の完了日時を生成する。そして、広告合成部６２は、その完了日時、画像ＩＤおよびファイル名を互いに対応付けてリストデータベース６１に格納する。
【００５８】
その後、ステップＡ５では、そのファイル名の広告画像が掲載された、その画像ＩＤの映像コンテンツが配信される。
【００５９】
図３は、映像コンテンツを配信する際動作を説明するためのシーケンス図である。
【００６０】
ステップＢ１では、映像配信部７０は、視聴者端末２から映像コンテンツを視聴する旨の視聴要求を受信する。なお、視聴要求は、その映像コンテンツの画像ＩＤを含む。また、その映像コンテンツの広告権への入札は完了していないものとする。
【００６１】
映像配信部７０は、その視聴要求内の画像ＩＤを広告合成部６２に送信する。広告合成部６２は、その画像ＩＤを受信すると、その画像ＩＤがリストデータベース６１内に存在するか否かを確認する。今、その画像ＩＤの映像コンテンツの広告権への入札は完了していないので、その画像ＩＤがリストデータベース６１内に存在しない。
【００６２】
広告合成部６２は、その画像ＩＤがリストデータベース６１内に存在しないことを確認すると、その画像ＩＤをコンテンツ管理部４０に送信する。
【００６３】
コンテンツ管理部４０は、その画像ＩＤを受信すると、その画像ＩＤが付けられた映像コンテンツを映像コンテンツデータベース２０から取得する。コンテンツ管理部４０は、その取得した映像コンテンツを広告合成部６２に送信する。
【００６４】
広告合成部６２は、その映像コンテンツを受信すると、その映像コンテンツを映像配信部７０に送信する。映像配信部７０は、その映像コンテンツを受信すると、その映像コンテンツを、ネットワーク１００を介して視聴者端末２に送信する。その後、マーケティングデータベース５１内の入札期間の終了日時になると、マーケティング管理部５２がステップＢ２を実行する。
【００６５】
ステップＢ２の処理は、ステップＡ４と同じなので説明を省略する。ステップＢ２が終了した後で、映像配信部７０は、視聴者端末２から視聴要求を受信すると、ステップＢ３を実行する。
【００６６】
ステップＢ３では、映像配信部７０は、その視聴要求内の画像ＩＤを広告合成部６２に送信する。広告合成部６２は、その画像ＩＤを受信すると、その画像ＩＤがリストデータベース６１内に存在している否かを確認する。今、その画像ＩＤの映像コンテンツの広告権への入札は完了しているので、その画像ＩＤがリストデータベース６１内に存在する。
【００６７】
広告合成部６２は、その画像ＩＤがリストデータベース６１内に存在することを確認すると、その画像ＩＤに対応するファイル名を取得する。広告合成部６２は、そのファイル名を広告管理部３０に送信し、その画像ＩＤをコンテンツ管理部４０に送信する。
【００６８】
コンテンツ管理部４０は、その画像ＩＤを受信すると、その画像ＩＤが付けられた映像コンテンツを映像コンテンツデータベース２０から取得する。コンテンツ管理部４０は、その取得した映像コンテンツを広告合成部６２に送信する。
【００６９】
一方、広告管理部３０は、そのファイル名を受信すると、そのファイル名が付けられた広告画像を広告画像データベース１０から取得する。広告管理部３０は、その取得した広告画像を広告合成部６２に送信する。
【００７０】
広告合成部６２は、映像コンテンツおよび広告画像を受信すると、その映像コンテンツに広告画像を掲載する。広告合成部６２は、その広告画像を掲載した映像コンテンツを映像配信部７０に送信する。映像配信部７０は、その映像コンテンツを受信すると、その映像コンテンツを、ネットワーク１００を介して視聴者端末２に送信する。その後、リストデータベース６１内の掲載期間の完了日時になると、広告合成部６２がステップＢ４を実行する。
【００７１】
ステップＢ４では、広告合成部６２は、その掲載完了日時を含むレコードを削除する。
【００７２】
次に効果を説明する。
【００７３】
本実施形態によれば、マーケティング管理部５２は、スポンサー端末４から映像コンテンツの広告権への入札情報を受け付け、その入札情報に応じて広告画像データベース１０内の広告画像の中から、映像コンテンツに掲載する広告を決定する。広告合成部６２は、映像コンテンツの配信時に、マーケティング管理部５２にて決定された広告を映像コンテンツに掲載する。映像配信部７０は、広告合成部６２が掲載した映像コンテンツを配信する。
【００７４】
この場合、映像コンテンツの配信時に、その映像コンテンツに広告画像が掲載される。また、その掲載された映像コンテンツが配信される。このため、広告画像を掲載した映像コンテンツを格納しなくてもよくなるため、映像コンテンツを格納するための記憶容量の増加を抑制することが可能になる。
【００７５】
また、本実施形態では、マーケティング管理部５２は、映像コンテンツが配信された配信回数を求め、その配信回数が閾値より大きいか否かを判定する。マーケティング管理部５２は、配信回数が閾値より大きいと、入札情報の受け付けを開始する。
【００７６】
この場合、配信回数が閾値より大きいと、入札情報の受け付けが開始される。このため、視聴された回数の多い映像コンテンツに広告を掲載することが可能になる。
【００７７】
また、本実施形態では、マーケティング管理部５２は、スポンサー端末４から、広告権への入札を開始する旨の開始指示を受け付けると、入札情報の受け付けを開始する。
【００７８】
この場合、スポンサー端末４から開始指示が受け付けられると、入札情報の受け付けが開始される。このため、スポンサーからの要求に応じて広告権への入札を開始することが可能になる。
【００７９】
また、本実施形態では、マーケティング管理部５２は、コンテンツ製作者端末３から、広告権への入札を開始する旨の開始要求を受け付けると、広告権への入札を開始する契機を検知し、入札情報の受け付けを開始する。
【００８０】
この場合、コンテンツ製作者端末３から開始要求が受け付けられると、入札情報の受け付けが開始される。このため、映像コンテンツの製作者からの要求に応じて広告権への入札を開始することが可能になる。
【００８１】
また、本実施形態では、マーケティング管理部５２は、配信回数が閾値より大きいと判定した場合、および、開始指示を受け付けた場合、入札の開始を許可するか否かを確認するための承認依頼をコンテンツ製作者端末３に送信する。また、マーケティング管理部５２は、コンテンツ製作者端末３から入札の開始を許可する旨の承認情報を受信すると、入札金額の受け付けを開始する。
【００８２】
この場合、映像コンテンツの広告権への入札を開始する契機が検知されると、入札の開始を許可するか否かを確認するための承認依頼がコンテンツ製作者端末３に送信される。また、コンテンツ製作者端末３から入札の開始を許可する旨の承認情報が受信されると、入札金額の受け付けが開始される。このため、コンテンツ製作者の意向を考慮することが可能になる。
【００８３】
次に第二の実施形態について説明する。本実施形態は、本発明による広告配信装置の最も簡単な構成例を説明する。
【００８４】
図４は、本実施形態の広告配信装置の構成を示したブロック図である。図４において、広告配信装置１は、広告画像データベース１０と、映像コンテンツデータベース２０と、制御部５０と、掲載部６０と、映像配信部７０とを含む。また、広告配信装置１は、視聴者端末２と、スポンサー端末４とに相互に接続可能である。
【００８５】
広告画像データベース１０は、広告画像を格納する。広告画像には、その広告画像のファイル名が付けられている。
【００８６】
映像コンテンツデータベース２０は、映像コンテンツを格納する。
【００８７】
マーケティング管理部５２は、スポンサー端末４から入札情報を受け付ける。入札情報は、広告権への入札金額と、その映像コンテンツに掲載する広告画像のファイル名とを含む。
【００８８】
マーケティング管理部５２は、その入札情報に応じて、広告画像データデース１０内の広告画像の中から映像コンテンツに掲載する広告画像を決定する。
【００８９】
広告合成部６２は、映像コンテンツの配信時に、マーケティング管理部５２にて決定された広告画像を映像コンテンツに掲載する。
【００９０】
映像配信部７０は、広告合成部６２が広告画像を掲載した映像コンテンツを視聴者端末２に送信する。
【００９１】
次に動作を説明する。
【００９２】
図５は、本実施形態の広告配信装置の動作を説明するためのフローチャートである。
【００９３】
ステップＣ１では、マーケティング管理部５２は、その入札情報に応じて、広告画像データデース１０内の広告画像の中から映像コンテンツに掲載する広告画像を決定する。
【００９４】
例えば、マーケティング管理部５２は、入札期間内に受け付けた入札情報内の入札金額の中で最も高い入札金額を判定する。マーケティング管理部５２は、その最も高い入札金額と同じ入札情報に含まれるファイル名の広告画像を、映像コンテンツに掲載する広告画像に決定する。
【００９５】
マーケティング管理部５２は、そのファイル名を掲載部６０に送信する。掲載部６０は、ファイル名を受信すると、そのファイル名を自身に格納する。
【００９６】
その後、映像配信部７０がステップＣ２を実行する。
【００９７】
ステップＣ２では、映像配信部７０は、視聴者端末２から映像コンテンツを視聴する旨の視聴要求を受信すると、その視聴要求を掲載部６０に送信する。掲載部６０は、その視聴要求を受信すると、ステップＣ３を実行する。
【００９８】
ステップＣ３では、掲載部６０は、格納しているファイル名が付けられた広告画像を、広告画像データベース１０から取得し、映像コンテンツ２０を映像コンテンツデータベース２０から取得する。掲載部６０は、広告画像および映像コンテンツを取得すると、ステップＣ４を実行する。
【００９９】
ステップＣ４では、掲載部６０は、その映像コンテンツに広告画像を掲載し、その掲載した映像コンテンツを映像配信部７０に送信する。映像配信部７０は、その映像コンテンツを受信すると、ステップＣ５を実行する。
【０１００】
ステップＣ５では、掲載部６０は、その映像コンテンツを視聴者端末５に送信する。
【０１０１】
次に効果を説明する。
【０１０２】
本実施形態では、マーケティング管理部５２は、スポンサー端末４から映像コンテンツの広告権への入札情報を受け付け、該入札情報に応じて広告画像データベース１０内の広告画像の中から、映像コンテンツに掲載する広告を決定する。広告合成部６２は、映像コンテンツの配信時に、マーケティング管理部５２にて決定された広告を映像コンテンツに掲載する。映像配信部７０は、広告合成部６２が掲載した映像コンテンツを視聴者端末２に配信する。
【０１０３】
したがって、第一の実施形態と同様に、映像コンテンツの配信時に、その映像コンテンツに広告画像が掲載される。また、その掲載された映像コンテンツが配信される。このため、広告画像を掲載した映像コンテンツを格納しなくてもよくなるため、映像コンテンツを格納するための記憶容量の増加を抑制することが可能になる。
【０１０４】
以上説明した各実施形態において、図示した構成は単なる一例であって、本発明はその構成に限定されるものではない。
【図面の簡単な説明】
【０１０５】
【図１】本発明の第一の実施形態の広告配信装置の構成を示したブロック図である。
【図２】広告権を購入取得する際の動作を説明するためのシーケンス図である。
【図３】映像コンテンツを配信する際の動作を説明するためのシーケンス図である。
【図４】本発明の第二の実施形態の広告配信装置の構成を示したブロック図である。
【図５】第二の実施形態の広告配信装置の動作例を説明するためのフローチャートである。
【符号の説明】
【０１０６】
１        広告配信装置
２        視聴者端末
３        コンテンツ製作者端末
４        スポンサー端末
１０      広告画像データベース
２０      映像コンテンツデータベース
３０      広告管理部
４０      コンテンツ管理部
５０      制御部
５１      マーケティングデータベース
５２      マーケティング管理部
６０      掲載部
６１      リストデータベース
６２      広告合成部
７０      映像配信部
【図１】
2009122827.tif 000003
【図２】
2009122827.tif 000004
【図３】
2009122827.tif 000005
【図４】
2009122827.tif 000006
【図５】
2009122827.tif 000007